(57)【要約】【課題】  縮小画像の一覧表示画面においてユーザーが容易に希望の画像を見つけることを可能にする画像表示方法を提供する。【解決手段】  カメラ機種などの属性に基づいて画像を属性グループに分け、グループ毎に縮小画像を表示する。このとき、画像の枚数の多いグループほど画面中央に近い位置に配置する。また、解像度の高い画像の縮小画像の表示サイズを、解像度の低い画像の縮小画像の表示サイズよりも大きくする。タイムシーケンス表示処理が開始されると、古い撮影年月の画像から新しい時期のものへと、数秒毎に、表示画像が切り替えられる。【選択図】  図６
2005157027.tif 000002
【特許請求の範囲】
【請求項１】
互いに解像度が異なる複数の画像のそれぞれの縮小画像を画面の異なる位置に同時に表示する一覧表示工程と、縮小画像が選択されたときにその縮小画像に対応する画像を表示する画像表示工程と、を有し、
一覧表示工程は、解像度の高い方の画像の縮小画像の表示サイズを、解像度の低い方の画像の縮小画像の表示サイズよりも大きくする工程を含むことを特徴とする画像表示方法。
【請求項２】
一覧表示工程は、複数の縮小画像を、互いに一部が重なり合うように配置する工程を含むことを特徴とする請求項１記載の画像表示方法。
【請求項３】
一覧表示工程は、
画像の有している属性に基づいて複数の画像を属性グループに分ける工程と、
それらの属性グループ毎に定められた画面内の基準位置に合わせて、その属性グループに属する複数の画像の縮小画像を表示する工程と、
を含むことを特徴とする請求項１または２記載の画像表示方法。
【請求項４】
前記属性は画像を撮影したカメラを示す情報を含むことを特徴とする請求項３記載の画像表示方法。
【請求項５】
前記解像度および前記縮小画像は、画像の撮影時に付与されたものであることを特徴とする請求項１〜４のうちいずれか１項記載の画像表示方法。
【発明の詳細な説明】
【技術分野】
【０００１】
本発明はデジタル画像データを画像表示装置の画面上で再生する為の画像表示方法に関するものである。
【背景技術】
【０００２】
デジタルハイビジョン放送が開始され、ハイビジョン対応のテレビ受信装置の普及により、従来よりも高画質で迫力のある映像を家庭で楽しめるようになってきている。一方電子スチルカメラの普及により、電子化した静止画および動画をパソコンだけでなく、テレビのモニタ画面に表示して楽しむユーザーも増えてきている。
【０００３】
テレビ受信装置にて静止画や動画を見る場合には、ユーザーはモニタ画面に表示されたサムネイル画像の一覧を見て、そのサムネイル画像を選択することで、再生データを選択するのが一般的である。
【０００４】
一方、近年記憶容量を飛躍的に増大させたメモリの利用が可能になっており、これに伴い記憶できる画像の数も飛躍的に増大している。例えば、メモリカードは５００枚を超えるデジタル写真を記憶することができるようになってきている。
【０００５】
このような大量の画像データの中から、ユーザーが所望の画像データを探し出すことは容易なことではない。
【０００６】
大量のデータオブジェクトを効率よく画面に配置し、ユーザー自身の目で容易に選択できるようにする技術としては、次のものが知られている。柿本らは、特許文献１において、日時が近いものや類似した画像を集めて２次元画面を構成し、かつ、情報の密度を変えて奥行き方向に複数の画面を並べることによって、視点を３次元的に移動させることで所望のデータを探索できるようにする技術を開示している。また、松浦らは、特許文献２において、現実空間に似せた仮想的な情報空間の中に情報を関連付けて表示する方法を提案している。
【特許文献１】特開平９−２５９１３０号公報
【特許文献２】特開平７−８４７４６号公報
【発明の開示】
【発明が解決しようとする課題】
【０００７】
しかしながら、柿本らの提案手法を用いて大量のデジタル画像を表示したとしても、３次元空間のどの位置にどのような属性の画像が配置されているのかを直感的に把握することが難しい場合が多い。しかも、最上層の画面から実際に画像が配置されている最下層の画面までたどり着くには、所望の画像の属性を正確に把握していなければならない。それゆえ、撮影した日時や場所などの記憶があいまいであると、所望の画像を見つけるために３次元空間内をくまなく探索しなければならなくなり、逆に効率が悪くなってしまう。
【０００８】
一方、松浦らの提案手法は、デジタル写真の取り扱いには向いていない。なぜなら、写真には、撮影した日時・場所、撮影したカメラ、写っている人、誰からもらった写真か、などの種々の属性が付随し、その中には、現実空間に似せた情報空間上へのマッピングが不可能なものもあるからである。すなわち、撮影した場所であれば、地図画像を背景画像とした情報空間の中に写真をマッピングすることも考えられようが、たとえば、「写っている人」「その写真をくれた人」「撮影したカメラ」などの属性は、現実の空間とは異なる概念であるため、情報空間上にマッピングすることはできないのである。
【０００９】
本発明は、上記実情に鑑みてなされたものであり、縮小画像の一覧表示画面においてユーザーが容易に希望の画像を見つけることを可能にする画像表示方法を提供することを目的とする。
【課題を解決するための手段】
【００１０】
上記目的を達成するために、本発明の画像表示方法は、互いに解像度が異なる複数の画像のそれぞれの縮小画像を画面の異なる位置に同時に表示する一覧表示工程と、縮小画像が選択されたときにその縮小画像に対応する画像を表示する画像表示工程と、を有し、一覧表示工程は、解像度の高い方の画像の縮小画像の表示サイズを、解像度の低い方の画像の縮小画像の表示サイズよりも大きくする工程を含む。
【発明の効果】
【００１１】
以上示したような本発明の画像表示方法によれば、オリジナル画像の解像度に応じて一覧表示画面での縮小画像の表示サイズが変化するので、ユーザーは直感的かつ効率的に希望の画像を見つけ出すことができる。
【発明を実施するための最良の形態】
【００１２】
以下、図面を参照して本発明の好適な一実施形態について説明する。図１は本実施形態の画像表示方法が適用されるデジタルテレビ受信装置１００の構成を示した図である。
【００１３】
図１において、不図示のアンテナにより受信された信号はチューナ部１０１に入力される。チューナ部１０１は、入力された信号に対して、復調、誤り訂正等の処理を施し、トランスポートストリーム（ＴＳ）と呼ばれる形式のデジタルデータを生成する。チューナ部１０１は更に、生成したＴＳデータに対しデスクランブル解除処理を行い、処理後のＴＳデータをデマルチプレクサ部１０２に出力する。
【００１４】
デマルチプレクサ部１０２は、チューナ部１０１より入力された複数チャンネル分の映像、音声データ、および電子番組ガイド（ＥＰＧ）データ、データ放送データ等が時分割多重化されているＴＳデータの中から、映像データおよび音声データを取り出し、映像・音声デコーダ部１０３に出力する。映像・音声デコーダ部１０３で処理された映像データはビデオメモリ１０７に書き込まれ、表示合成部１０８を介して、表示器１１２へと出力される。一方、音声データは音声出力部１０４にて出力される。
【００１５】
カードスロット１０９は、リムーバブルメモリカード等が接続されるスロットであり、本実施形態においてはデジタルカメラとのデータのやり取りを行うために使用される。画像データ入力部１０５は、カードスロット１０９に接続されたメモリカードからデジタル画像データを読み込む。画像処理部１０６は、画像データ入力部１０５で入力したデジタル画像データに対して画像処理を施し、その画像データをビデオメモリ１０７に書き込む。
【００１６】
表示制御部１１０は、画像データ入力部１０５に対する画像読込の指示、画像処理部１０６に対する処理実行の指示、ビデオメモリ１０７への表示データの書き込み、表示合成部１０８に対する合成処理の指示、記憶部１１３に対する情報の記憶指示を行う。また、表示制御部１１０は、ユーザー入力部１１１を介してリモコン１１４から入力データを取得する。さらに、表示制御部１１０は、画像データ入力部１０５を介して、デジタル画像データに付与された撮影データ等の属性情報の取得も行う。
【００１７】
リモコン１１４の例を図２に示す。ただし、図２は、説明の便宜上、本実施形態の画像表示方法を実行するために必要な操作ボタンのみを示すものであり、実際のデジタルテレ
ビ受信装置用リモコンに必要な操作ボタン全てを示すものではない。
【００１８】
発光部２０１は、リモコン１１４と図１のユーザー入力部１１１の間の赤外線通信を行う部分である。電源キー２０２は、デジタルテレビ受信装置１００の電源のＯＮ／ＯＦＦを切り替えるためのボタンである。カーソル＆決定キー２０３は、上下左右ボタンとそれらのボタンの真中に配された決定キーからなる。また、Ｕｐキー２０４とＤｏｗｎキー２０５の２つのキーからなるアップダウンキー、１〜９および０の数字がマトリクス状に並べられた数字キー２０６、青，赤，緑，黄の４色のボタンが横一列に並べられたカラーキー２０７が設けられている。メニューキー２０８はデジタルテレビ受信装置１００の機能メニューを表示するためボタンであり、ビューワキー２０９は画像ビューワ機能を呼び出すためのボタンである。
【００１９】
本実施形態において用いたデジタル画像はデジタルカメラにて撮影された静止画データおよび動画データである。静止画データはデジタルカメラにてＪＰＥＧ圧縮処理を施された後、静止画像データファイルとしてメモリカードに記録されたものを用いている。また、動画データも同様にデジタルカメラにてフレーム単位でＪＰＥＧ圧縮処理された画像群を動画像データファイルとしてメモリカードに記録されたものを用いている。以降の説明では、静止画像データファイルと動画像データファイルを総称して「画像ファイル」という。また、画像ファイルを単に「画像」ということもある。
【００２０】
画像記憶手段たるメモリカードには、複数の画像ファイルがその属性情報とともに記憶されている。画像ファイルの属性情報には、たとえば、撮影時（もしくは作成時）に付与された属性、画像ファイルの送受信時に記録された属性、撮影後（もしくは作成後）にユーザーにより付与された属性などが含まれる。
【００２１】
撮影時に付与された属性とは、デジタルカメラで撮影したときにデジタルカメラの機能によって自動的に付与される属性である。たとえば、撮影日時情報（年月日だけの場合も含む）、画像の解像度情報、画像のインデックス情報（サムネイル画像など）、カメラ機種情報などがある。
【００２２】
画像ファイルの送受信時に記録された属性とは、電子メールや画像転送などの手段により画像ファイルをやり取りしたときに記録される属性である。たとえば、画像ファイルの送信者の名称（画像をもらった人）、送信元のメールアドレス、送信先のメールアドレス、送信日時などがある。
【００２３】
また、ユーザーにより付与された属性としては、たとえば「太郎」や「花子」といった画像に写っている人物の名称（写っている人）、撮影場所などがある。
【００２４】
本実施形態では、特に、撮影したカメラの機種情報、画像の解像度情報、撮影年月日情報など、撮影時に付与された属性情報を用いて以降の画像表示処理を実行する。
【００２５】
（処理動作説明）
まず、本実施形態のデジタルテレビ受信装置１００におけるデジタル画像の一覧表示機能（画像ビューワ機能）について説明する。図３、図４はデジタルテレビ受信装置１００における画像一覧表示機能の動作について、表示制御部１１０の処理を中心に示したフローチャートである。以下、これらの図を使って表示制御部１１０の処理を説明する。
【００２６】
ユーザーがカードスロット１０９にメモリカードを装着し、リモコン１１４のビューワキー２０９を操作すると、画像一覧表示機能（画像ビューワ機能）が呼び出され、以下の処理が実行される。
【００２７】
表示制御部１１０はまず、画像データ入力部１０５を介してカードスロット１０９に装着されているメモリカード内の画像ファイルリストを取得し（Ｓ３０１）、さらに画像ファイルの属性情報の読み出しを行う（Ｓ３０２）。そして表示制御部１１０は画像処理部１０６に対してサムネイル画像のデコード処理を指示すると共に、画面上に画像の撮影日時順でサムネイル画像を表示するようにビデオメモリ１０７への配置（描画）制御を行う（Ｓ３０３）。このときの一覧表示の様子を図５（ａ）に示す。
【００２８】
ここで、ユーザーがリモコン１１４のカーソル＆決定キー２０３を操作して、サムネイル画像を選択すると（Ｓ３０４）、表示制御部１１０はサムネイル画像に対応する画像が画面上に単独表示されるように制御を行う（Ｓ３０５）。
【００２９】
一方、ユーザーがリモコン１１４のメニューキー２０８を操作した場合には（Ｓ３０６）、表示制御部１１０は図５（ｂ）に示すように属性情報に含まれる個々の属性を一覧にした属性リストを表示する（Ｓ３０７）。ユーザーがカーソル＆決定キー２０３を操作して、このリストの中で「カメラ機種」という属性を選択すると（Ｓ３０８）、表示制御部１１０は図４に示す処理を開始する。よって、ユーザーは、属性リストから所望の属性を選択するという簡単な操作で、表示対象画像の大まかな絞り込みを行うことができる。
【００３０】
図４では、「カメラ機種」という属性が指定された場合の画像一覧表示機能の処理シーケンスが示されている。
【００３１】
（画像抽出・属性取得処理）
表示制御部１１０はまず、メモリカードに記録されている複数の画像の中から、「カメラ機種」という属性を有する画像を表示対象画像として抽出する（Ｓ１３０１）。続いて、その属性の属性値に基づいて複数の画像を属性グループに分ける。
【００３２】
ここでたとえば、メモリカードの中に「カメラ機種」属性として「Ｃ５１２」という属性値を有する画像が７枚、「Ｄ３０００」という属性値を有する画像が４枚あったものと想定すると、これらの１１枚の画像は「Ｃ５１２」、「Ｄ３０００」という２つの属性グループにグループ分けされる。なお、本実施形態において「カメラ機種」属性は撮影時に自動的に記録されたものを想定しているが、ユーザーが個々の画像に対して自ら設定したものであってもよい。
【００３３】
（中心点決定処理）
表示制御部１１０は「カメラ機種」属性を持つ画像を抽出すると、次に、各属性グループ毎に画面内の中心点（基準位置）の決定を行う（Ｓ１３０２）。ここでは、表示制御部１１０は、各属性グループに属する画像数の分布に基づいて、互いの中心点が画面内に離散するように各中心点の位置を決定する。さらに、画像数の多い属性グループの中心点ほど、つまり撮影した枚数が最も多かったカメラ機種グループの中心点ほど、画面の中央に近い位置に配置されるようにする。したがって、上述した例では、カメラ「Ｃ５１２」のグループの中心点が画面中央に近い位置に配置される。
【００３４】
（サムネイル画像表示処理）
そして、表示制御部１１０は、それぞれの中心点の近傍にサムネイル画像を配置する（ステップＳ１３０３）。このとき、各画像の解像度情報、例えば「縦６４０ピクセル×横４８０ピクセル」、「縦１６００ピクセル×横１２００ピクセル」などといった情報に基づき、解像度の高い画像のサムネイル画像を相対的に大きく、解像度の低い画像のサムネイル画像を相対的に小さく表示する（図６（ａ）参照）。つまり、オリジナル画像の解像度に応じてサムネイル画像の表示サイズを変えるのである。
【００３５】
また、表示制御部１１０は、同一の属性グループに属する複数の画像について、それらサムネイル画像を互いに一部が重なり合うように配置する。これにより、画像群としてのまとまりが生まれ、ユーザーによる意味把握が容易になる。また、画像群の広がりが小さくなるので、画像群同士が干渉しないように、余裕をもって配置することができる。
【００３６】
また、中心点の近傍には属性値「Ｃ５１２」、「Ｄ３０００」のラベルも表示される。このラベル表示もユーザーによる意味把握を容易にしている。
【００３７】
なお、中心点の近傍とは、当該中心点からの距離が他のいずれの中心点からの距離よりも短くなる位置から構成される領域（範囲）をいう。そして、その領域に各画像の少なくとも一部が又は全部が含まれるように（重なるように）、同一の属性値を有する複数の画像が配置される。
【００３８】
かかる配置処理によって、同一の属性値を有する画像のサムネイル画像が、その属性値の中心点の周りにかたまって表示され、サムネイル画像群を形成する。そのサムネイル画像群の大きさ（画像数の多さ）は、画面中心ほど大きく、画面中心から離れるほど小さくなる。そして、各サムネイル画像群は画面内に離散して配置される。したがって、画面内の画像配置の意味するところの直感的な把握が可能となり、ユーザーは効率的に所望の画像を見つけることができるようになる。
【００３９】
また、表示制御部１１０は、画面の端に、タイムシーケンス開始ガイドを表示し、タイムシーケンス表示処理の開始の指示がユーザーから入力されるのを待つ（Ｓ１３０４）。ここでは、タイムシーケンス表示処理を開始するために必要な操作、つまり、対応するリモコン１１４のボタン（赤ボタン）をユーザーに提示している。
【００４０】
図６（ａ）のごとく画面にサムネイル画像が一覧表示されている状態において、ユーザーのリモコン操作によりいずれかのサムネイル画像が選択されたときには、表示制御部１１０はそのサムネイル画像に対応するオリジナル画像を画面上に単独で表示する（Ｓ１３０５，Ｓ１３１２）。これによりユーザーはオリジナル画像を再生することができる。
【００４１】
一方、図６（ａ）の画面が表示された状態で、ユーザーが画面下端のガイドに従ってリモコン１１４の特定ボタン（この例では赤ボタン）を操作すると、タイムシーケンス機能が呼び出され、以下の処理が実行される（Ｓ１３０４）。
【００４２】
（タイムシーケンス表示処理）
タイムシーケンス表示処理は、簡単に言えば、所定時間ごとに表示対象画像を順次切り替え、各段階の表示対象画像に対して、前述の中心点決定処理（Ｓ１３０２）およびサムネイル画像表示処理（Ｓ１３０３）と同様の処理（Ｓ１３０７〜Ｓ１３０８）を繰り返す処理である。
【００４３】
初回のループでは、表示制御部１１０は、まず表示対象画像の抽出条件を決定する。抽出条件としては、画像が撮影又は作成された期間に関するものを用い、具体的には「１年間」とする。表示制御部１１０は、Ｓ１３０１で抽出された画像を母集団として、それらの母集団画像の中で最も古い画像の撮影年月（又は作成年月）を調べる。そして、その撮影年を、タイムシーケンス表示処理の初回のループの抽出条件に決定する。今、母集団画像（メモリカードに記録された画像）に、２０００年から２００２年までの画像が含まれているとすると、初回のループの抽出条件は２０００年となる。
【００４４】
表示制御部１１０は、母集団画像から、上記抽出条件に合致する画像を表示対象画像と
して抽出し、それぞれの画像を属性グループに分類する（Ｓ１３０６）。
【００４５】
続いて、表示制御部１１０は、抽出された表示対象画像に対して、中心点決定処理（Ｓ１３０７）、サムネイル画像表示処理（Ｓ１３０８）を行う。これらの処理は、上述したものと同じであるため説明を省略する。
【００４６】
そして、表示制御部１１０は、一定時間（たとえば３秒）待機した後で（Ｓ１３０９）、抽出条件を古い期間から新しい期間へと１年ずらして、再び、Ｓ１３０６の画像抽出処理に戻る（Ｓ１３１１）。したがって、２回目のループでは、２００１年が抽出条件となり、Ｓ１３０７〜Ｓ１３０８の処理が実行される。さらに一定時間後に、２００２年の画像に対しても同様の処理（Ｓ１３０７〜Ｓ１３０８）が実行される。
【００４７】
このように、表示制御部１１０は、所定時間（数秒）ごとに古い期間から新しい期間へと１年ずつ抽出条件を順に変化させることによって、表示対象画像を時系列的に切り替えていき、その度に該当する表示対象画像に対して、中心点決定処理等を実施する。
【００４８】
なお、表示制御部１１０は、Ｓ１３１０において、タイムシーケンス表示処理の停止の指示がユーザーから入力されたか否かを確認する。ユーザーがリモコン操作でタイムシーケンス表示処理の停止要求をした場合、または、最後の抽出条件まで処理を終えた場合には、タイムシーケンス表示処理は終了する。
【００４９】
タイムシーケンス表示処理が終了して画面にサムネイル画像が表示されている状態において、ユーザーのリモコン操作によりいずれかのサムネイル画像が選択されたときには、表示制御部１１０はそのサムネイル画像に対応するオリジナル画像を画面上に単独で表示する（Ｓ１３０５，Ｓ１３１２）。
【００５０】
以上説明した表示制御部１１０の処理により、得られる作用について説明する。
【００５１】
図６は、タイムシーケンス表示処理による一覧表示画面の変化を示した図である。
【００５２】
図６（ａ）に示すように、「２０００年」の期間にはカメラ機種：Ｃ５１２で撮影した画像が多いため、属性値「Ｃ５１２」の中心点が画面中心に配置されている。カメラ機種：Ｄ３０００で撮影した写真の数はそれよりも少ないため、画面中心から少し離れた領域に中心点が配置されている。
【００５３】
また、Ｄ３０００は複数の解像度で撮影することが可能であるため、高解像度モード（例えば、縦１６００ピクセル×横１２００ピクセル）で撮影した画像のサムネイル画像は相対的に大きく、一方低解像度モードで撮影した画像のサムネイル画像は相対的に小さく表示されている。
【００５４】
図６（ｂ）の「２００１年」になると、Ｄ３０００で撮影した写真の方が多くなるため、属性値「Ｄ３０００」の中心点が画面中央に近い位置に移動し、属性値「Ｃ５１２」の中心点は画面中央から離れていく。
【００５５】
なお、上記説明ではタイムシーケンスにおける期間を１年毎としたが、これに限ることはなく、１ヶ月毎、３ヶ月毎、１週間毎であってもよい。また、例えば、図７に示すように、１月〜３月の画像を表示した後、２月〜４月の画像を表示するなど、重複する期間を残しながら切替えていく表示を行っても良い。
【００５６】
このようにユーザーは画像の撮影日時を覚えていなくても、「どのカメラを頻繁に使っ
ていた時期に撮影したか」を覚えていれば、中心点の動きを見ることで、所望の写真を容易に探すことができるようになる。
【００５７】
また、カメラ機種名などをはっきり記憶していなくても、「使用したカメラが高解像度カメラである」、「高解像度と低解像度とを切り替えることのできるカメラだった」などを記憶していれば、サムネイル画像の相対的な大きさや大小が混在しているかどうかで、中心点が意味するカメラ機種を把握できるようになる。
【００５８】
また「探している画像が高解像度で撮影したものだった」ということを覚えていれば、ユーザーは、表示された画像群の中で大きく表示された画像の中から所望の写真を探せばよいことになる。
【００５９】
以上述べた本実施形態の画像表示方法によれば、カメラ機種属性により画像がグループ分けされ、各グループのサムネイル画像群が離散して配置されるので、ユーザーによる画像探索が容易になる。特に、オリジナル画像の解像度に応じて一覧表示画面での縮小画像の表示サイズが変化するので、画像を探す際の参考に出来る。
【００６０】
なお、本実施形態においては、説明を簡便にするため、１１枚の画像を対象にして処理の流れを説明したが、上記画像表示方法は、数枚のオーダーから数百枚のオーダーまで、あるいはさらに大量の画像に対しても適用可能である。
【００６１】
また、本実施形態においては、縮小画像として、撮影時に付与された属性としての、画像のインデックス情報であるサムネイル画像を利用することを例に挙げて説明した。サムネイル画像が本発明にはより好適であるが、本発明に用いられる縮小画像は、これに限定されることはなく、撮影された画像の構成画素をその都度間引いて縮小した画像であってもよく、詳細に表示すべき多画素数（高解像度の）画像と同内容で、画素数が少ない（低解像度）の画像であればよい。
【図面の簡単な説明】
【００６２】
【図１】デジタルテレビ受信装置の構成を示すブロック図である。
【図２】デジタルテレビ受信装置のリモコンを示すブロック図である。
【図３】表示制御部の処理の流れを示すフローチャートである。
【図４】表示制御部の処理の流れを示すフローチャートである。
【図５】画面表示例を示す図である。
【図６】サムネイル画像の画面表示例を示す図である。
【図７】タイムシーケンス表示処理による画像一覧表示画面の変化を示した図である。
【符号の説明】
【００６３】
１００  デジタルテレビ受信装置
１０１  チューナ部
１０２  デマルチプレクサ部
１０３  映像・音声デコーダ部
１０４  音声出力部
１０５  画像データ入力部
１０６  画像処理部
１０７  ビデオメモリ
１０８  表示合成部
１０９  カードスロット
１１０  表示制御部
１１１  ユーザー入力部
１１２  表示器
１１３  記憶部
１１４  リモコン
２０１  発光部
２０２  電源キー
２０３  カーソル＆決定キー
２０４  Ｕｐキー
２０５  Ｄｏｗｎキー
２０６  数字キー
２０７  カラーキー
２０８  メニューキー
２０９  ビューワキー
【図１】
2005157027.tif 000003
【図２】
2005157027.tif 000004
【図３】
2005157027.tif 000005
【図４】
2005157027.tif 000006
【図５】
2005157027.tif 000007
【図６】
2005157027.tif 000008
【図７】
2005157027.tif 000009